(57)【要約】【課題】  レンズバリアの開閉に悪影響を与えずにレンズ鏡筒の防塵・防滴性を向上させる。【解決手段】  撮影位置と非撮影位置との間で光軸方向に進退される撮影レンズＬ１，Ｌ２と、撮影レンズＬ１の前面で開閉するレンズバリア４０と、撮影レンズの外周側に配置され、内周側に配置された部材２５に対して光軸回りに回転可能なバリア駆動筒５６と、撮影レンズの進退に連動してバリア駆動筒５６を回転駆動する第１の連動機構２３と、バリア駆動筒５６の回転に連動してレンズバリア４０を開閉する第２の連動機構５３，５５と、バリア駆動筒５６とその内周側に配置された部材２５との間に全周にわたって介装される環状のシール部材７３とを具備する。撮影位置に達した撮影レンズをズーミングまたはフォーカシングのために光軸方向に進退させるときには、バリア駆動筒５６の回転は阻止される。【選択図】        図３
2005189278.tif 000002
【特許請求の範囲】
【請求項１】
撮影レンズの前面で開閉するレンズバリアと、
前記撮影レンズの外周側に配置され、内周側に配置された部材に対して光軸回りに回転可能なバリア駆動筒と、
該バリア駆動筒を回転駆動する第１の連動機構と、
前記バリア駆動筒の回転に連動して前記レンズバリアを開閉する第２の連動機構と、
前記バリア駆動筒とその内周側に配置された前記部材との間に全周にわたって介装される環状のシール部材とを具備することを特徴とするレンズ鏡筒。
【請求項２】
前記撮影レンズは、ズーミングまたはフォーカシングのために光軸方向に進退可能とされ、前記第１の連動機構は、ズーミングまたはフォーカシングにおけるレンズ進退時には、前記バリア駆動筒の回転を阻止することを特徴とする請求項１に記載のレンズ鏡筒。
【請求項３】
前記撮影レンズは、撮影位置と非撮影位置との間で光軸方向に進退可能とされ、前記第１の連動機構は、前記撮影レンズの進退に連動して前記バリア駆動筒を回転駆動することを特徴とする請求項１に記載のレンズ鏡筒。
【請求項４】
前記撮影位置に達した撮影レンズは、ズーミングまたはフォーカシングのために光軸方向に進退可能とされ、前記第１の連動機構は、ズーミングまたはフォーカシングにおけるレンズ進退時には、前記バリア駆動筒の回転を阻止することを特徴とする請求項３に記載のレンズ鏡筒。
【請求項５】
前記第１の連動機構は、前記撮影レンズが前記撮影位置と非撮影位置との間の一部の領域を移動するときのみ前記バリア駆動筒を回転させることを特徴とする請求項４に記載のレンズ鏡筒。
【請求項６】
前記撮影レンズの外周側で光軸回りに回転し、その回転によって前記撮影レンズを光軸方向に移動させる力を発生する回転筒と、
前記撮影レンズの光軸方向の移動を案内する直線案内部材とを有し、
前記バリア駆動筒は、前記直線案内部材に対して光軸方向に移動する際に、該直線案内部材から回転力を受けて光軸回りに回転することを特徴とする請求項３〜５のいずれかに記載のレンズ鏡筒。
【請求項７】
前記第２の連動機構は、バリア駆動力を発生する駆動力発生部材と、前記バリア駆動筒の一方向の回転に連動して前記バリア駆動力を前記レンズバリアに伝達して該レンズバリアを開放または閉塞し、前記バリア駆動筒の他方向の回転に連動して前記バリア駆動力の伝達を断って前記レンズバリアを閉塞または開放せしめる伝達機構とを含むことを特徴とする請求項１〜６のいずれかに記載のレンズ鏡筒。
【請求項８】
前記伝達機構は、前記シール部材よりも先端側に配置されていることを特徴とする請求項７に記載のレンズ鏡筒。
【請求項９】
請求項１〜８のいずれかに記載のレンズ鏡筒を有することを特徴とするカメラ。
【発明の詳細な説明】
【技術分野】
【０００１】
本発明は、レンズバリアを備えたレンズ鏡筒およびこれを有するカメラに関し、特に防塵・防滴性を考慮したものに関する。
【背景技術】
【０００２】
撮影レンズの前面を覆う位置と露呈させる位置とで開閉可能なレンズバリアを備えたレンズ鏡筒が知られている（例えば、特許文献１，２参照）。これらのレンズ鏡筒では、光軸回りに回転する回転体を用いてバリアの開閉を行っている。
【０００３】
【特許文献１】特開２００１−２１５５５９号公報
【特許文献２】特開平５−１９３３１号公報
【発明の開示】
【発明が解決しようとする課題】
【０００４】
ところで、レンズ鏡筒内に塵埃や水分が侵入すると各部の動作や光学性能に支障を来すおそれがあるため、レンズ鏡筒に防塵・防滴性を持たせる必要がある。しかし、上記特許文献１，２のレンズ鏡筒は、レンズバリアやその駆動機構付近の防塵・防滴は考慮されておらず、塵埃や水分の侵入による不具合を招くおそれがあった。
【課題を解決するための手段】
【０００５】
請求項１〜８の発明に係るレンズ鏡筒は、撮影レンズの前面で開閉するレンズバリアと、撮影レンズの外周側に配置され、内周側に配置された部材に対して光軸回りに回転可能なバリア駆動筒と、バリア駆動筒を回転駆動する第１の連動機構と、バリア駆動筒の回転に連動してレンズバリアを開閉する第２の連動機構と、バリア駆動筒とその内周側に配置された上記部材との間に全周にわたって介装される環状のシール部材とを具備する。
特に請求項２の発明では、撮影レンズがズーミングまたはフォーカシングのために光軸方向に進退可能とされ、ズーミングまたはフォーカシングにおけるレンズ進退時には、バリア駆動筒の回転が阻止される。
請求項３の発明では、撮影レンズが撮影位置と非撮影位置との間で光軸方向に進退可能とされ、撮影レンズの進退に連動してバリア駆動筒が回転駆動される。
請求項４の発明では、撮影位置に達した撮影レンズがズーミングまたはフォーカシングのために光軸方向に進退可能とされ、ズーミングまたはフォーカシングにおけるレンズ進退時には、バリア駆動筒の回転が阻止される。
請求項５の発明では、撮影レンズが撮影位置と非撮影位置との間の一部の領域を移動するときのみバリア駆動筒が回転される。
請求項６の発明は、撮影レンズの外周側で光軸回りに回転し、その回転によって撮影レンズを光軸方向に移動させる力を発生する回転筒と、撮影レンズの光軸方向の移動を案内する直線案内部材とを有し、上記バリア駆動筒は、直線案内部材に対して光軸方向に移動する際に、直線案内部材から回転力を受けて光軸回りに回転する。
請求項７の発明は、第２の連動機構が、バリア駆動力を発生する駆動力発生部材と、バリア駆動筒の一方向の回転に連動してバリア駆動力をレンズバリアに伝達してレンズバリアを開放または閉塞し、バリア駆動筒の他方向の回転に連動してバリア駆動力の伝達を断ってレンズバリアを閉塞または開放せしめる伝達機構とを含むものである。
請求項８の発明は、伝達機構をシール部材よりも先端側に配置したものである。
請求項９の発明に係るカメラは、請求項１〜８のいずれかのレンズ鏡筒を有する。
【発明の効果】
【０００６】
本発明によれば、撮影レンズの進退に連動してバリア駆動筒を回転駆動し、バリア駆動筒の回転に連動してレンズバリアを開閉するとともに、バリア駆動筒とその内周側に配置された部材との間に全周にわたってシール部材を介装したので、防塵・防滴性の向上が図れる。しかも、シール部材を第２の連動機構（バリアを直接駆動する機構）回りに設けるのではなく、バリア駆動筒とその内周側に配置された部材間に設けることで、第２の連動機構がシール部材の摩擦力の影響を受けるのを阻止できる。
【発明を実施するための最良の形態】
【０００７】
図１〜図１２により本発明の一実施の形態を説明する。
図１，図２は本実施形態におけるカメラ（デジタルスチルカメラ）の上面図および正面図である。カメラ上面には、電源ボタン１と、シャッタボタン２と、ズームボタン３，４とが設けられる。ズームボタンが押圧されるとズームモータ１１が駆動され、その回転がウォーム１２およびギア列１３を介してレンズ鏡筒ＬＢのカム筒２１に伝達され、カム筒２１の回転によりズーミングが行われる。またレンズ鏡筒ＬＢは、電源オフ時には沈胴状態（非撮影位置）に繰り込まれるようになっており、その繰り込みおよび撮影位置への繰り出しもズームモータ１１を駆動源とする。ズーム制御は、カム筒２１に貼った反射テープの端をフォトリフレクタＰＲによって検出し、その位置を基準位置とする。基準位置からの回転量はウォーム１２の回転をフォトインタラプタＰＩで検出して制御する。
【０００８】
さらにレンズ鏡筒ＬＢは、レンズの前面で開閉するレンズバリア（以下、単にバリアという）４０を内蔵している。バリア４０の詳細な構成およびその駆動機構については後述するが、バリア閉時には４枚のバリア羽根がレンズ露出用の開口を覆い、撮影レンズを保護する。
【０００９】
図３〜図１２によりレンズ鏡筒ＬＢのレンズ駆動機構、バリア、バリア開閉機構および防滴構造について順に詳述する。
＜レンズ駆動機構＞
図３，図４はそれぞれ図２のIII−III線，IV−IV線で切ったレンズ鏡筒ＬＢの断面図であり、いずれもレンズが沈胴位置にある状態を示している。２２はカメラ本体に固定された固定筒であり、その内周側に上記カム筒２１が設けられる。カム筒２１は、そのギア部２１ａにズームモータ１１の駆動力が伝達されることで、光軸回りに回転する。カム筒２１に設けられたカムフォロア２１ｂは、固定筒２２のカムに係合しており、したがってカム筒２１は固定筒２２、つまりカメラ本体に対して回転しながら光軸方向に進退する。
【００１０】
直進キー２３は、カム筒２１に対して回転自在に係止部２３ａ（図４）で係止され、カム筒２１と共に光軸方向に進退する。ただし、固定筒２２の回転制限２２ａが直進キー２３の回転を阻止しているため、直進キー２３は固定筒２２に対しては回転しない。図５の展開図に示すように、直進キー２３には２種類の光軸方向のキー溝（直進溝）２３ｂ，２３ｃがそれぞれ３本ずつ形成されており、これらが以下に示すように１群レンズＬ１および２群レンズＬ２を光軸方向に案内する。
【００１１】
１群レンズＬ１は１群保持枠２４に保持され、１群保持枠２４は１群筒２５にねじ込まれて保持されている。１群筒２５に設けられたカムフォロア２５ａは、直進キー２３のキー溝２３ｂ（図５）を貫通してカム筒２１の１群駆動用カム溝に係合され、これにより、カム筒２１の回転に従って１群筒２５、つまり１群レンズＬ１がカム筒２１に対して光軸方向に進退する。一方、２群レンズＬ２は、シャッタ２７とともに２群保持枠２６に保持され、２群保持枠２６のカムフォロア２６ａは、直進キー２３のキー溝２３ｃ（図５）を貫通してカム筒２１の２群駆動用カム溝に係合されている。これにより、カム筒２１の回転に従って２群レンズＬ２およびシャッタ２７がカム筒２１に対して光軸方向に進退する。
【００１２】
なお、３群保持枠２８に保持された３群レンズＬ３はフォーカスレンズであり、不図示のフォーカスモータ（ステッピングモータ）によって光軸方向に駆動される。また、３１，３２は絞り、３３は光学ローパスフィルタ、３４はＣＣＤ等の撮像素子、３５はカメラ後カバー、３６は同前カバーである。
【００１３】
＜バリア構造＞
１群筒２５の先端に設けられた外側バリアカバー５１には、レンズ露出用の開口が形成され、バリア閉時には４枚のバリア羽根４１Ａ，４１Ｂ，４２Ａ，４２Ｂが開口を覆い（図３）、バリア開時にはバリア羽根が外側バリアカバー５１と内側バリアカバー５２との間に重なって収容される（図７）。
【００１４】
図８はバリア４０を撮像素子側から見た図、図９，図１０はカメラ先端側（図４のＩＸ方向）から見た図である。上側のバリア羽根４１Ａ，４２Ａは、バリアカバー５１に突設された軸５１ａを中心に回転可能に支持され、下側の羽根４１Ｂ，４２Ｂは、同様の軸５１ｂに回転可能に支持されている。軸５１ａ，５１ｂには、羽根駆動ばね（ねじりばね）４５Ａ，４５Ｂがそれぞれ外挿され、ばね４５Ａ，４５Ｂの一端は羽根４１Ａ，４１Ｂのばね掛け部４１Ａａ，４１Ｂａに、他端はバリアカバー５２のばね掛け部５２ａ，５２ｂにそれぞれ掛止されている。これらのばね４５ａ，４５ｂの付勢力により、４枚のバリア羽根は閉じ方向に付勢され、閉状態ではバリア羽根４１Ａ，４１Ｂの先端同士が当接し、バリア羽根４２Ａ，４２Ｂは羽根４１Ａ，４１Ｂの上下にそれぞれ配置される。
【００１５】
バリア閉状態において、バリア羽根４１Ａ，４１Ｂにそれぞれ突設された羽根駆動軸４１Ａｂ，４１Ｂｂに開方向の力が加わると、バリア羽根４１Ａ，４１Ｂはばね４５Ａ，４５Ｂの付勢力に抗して軸５１ａ，５１ｂ回りに開き始め、ある程度開くと羽根連動軸４１Ａｃ，４１Ｂｃ（羽根駆動軸と反対側の面に設けられる）がバリア羽根４２Ａ，４２Ｂにそれぞれ当接し、バリア羽根４２Ａ，４２Ｂも開き始める。図１０は各バリア羽根が完全に開いた状態を示している。この開状態において羽根駆動軸４１Ａｂ，４１Ｂｂへの力が断たれると、羽根駆動ばね４５Ａ，４５Ｂの付勢力により各羽根は閉じる（図８，図９）。
【００１６】
＜バリア駆動機構＞
上記バリア羽根の開放は、図１１に示すバリア駆動リング５３を介して付勢ばね５５の付勢力を羽根駆動軸４１Ａｂ，４１Ｂｂに伝達することでなされる。バリア駆動リング５３は、１群筒２５にビス止めされたバリア駆動リング保持部材５４（図３）の係止爪５４ｂにバヨネット結合され、保持部材５４に対して光軸回りに回転可能とされる。付勢ばね５５は、バリア駆動リング５３のばね掛け部５３ａと保持部材５４のばね掛け部５４ａとの間に介装され、バリア駆動リング５３を図１１の反時計回りに付勢する。
【００１７】
ここで、上記ばね掛け部５４ａや掛止爪５４ｂは１群筒２５に一体成形により設けてもよいが、かかる爪形状の部材を一体成形で形成するとなると、アンダーカット部をなくすために爪形状の部材の周囲に孔を開けざるを得ず、孔から水分の侵入を招くおそれがある。本実施形態では、１群筒２５の前面からの水分の侵入を極力阻止するために、上記爪形状の部材を別部材である保持部材５４に設け、その保持部材５４を１群筒２５にビス止めすることで孔の形成を回避し、以て防滴性を高めている。
【００１８】
図１１は後述するバリア駆動筒５６の爪５６Ａによってバリア駆動リング５３の回動が阻止された状態を示し、このときバリア羽根は閉じている。爪５６Ａが反時計回りに移動すると、バリア駆動リング５３の同方向の回動が許容され、付勢ばね５５の付勢力によってバリア駆動リング５３が回転し、一対の当接部５３ｂが羽根駆動軸４１Ａｂ，４１Ｂｂにそれぞれ当接してこれを図１２の位置まで動かす。これにより上述のごとくバリア羽根が開放される。
【００１９】
上記回転制限用の爪５６Ａを有するバリア駆動筒５６は、そのバヨネット部５６ｂ（図３）が１群筒２５にバヨネット結合され、ある角度範囲においてのみ１群筒２５に対して回転可能であり、かつ１群筒２５に対して光軸方向には進退不能とされる。バリア駆動筒５６のカムフォロア５６ｃ（図４）は、直進キー２３に設けたバリア駆動カム２３ｄ（図５，図６）に係合しており、このためバリア駆動筒５６は、１群筒２５と共に直進キー２３に対して光軸方向に移動する際に、バリア駆動カム２３ｄから回転力を受けて回転する。これに伴い、爪５６Ａがバリア駆動リング５３の回動を阻止する位置と許容する位置との間で駆動される。その詳細な動きは後述する。
【００２０】
＜防滴構造＞
カメラ前カバー３６とカム筒２１、カム筒２１とバリア駆動筒５６、バリア駆動筒５６と１群筒２５との各隙間には、それぞれリング状の防滴ゴム７１，７２，７３が全周に渡って介装されている。これらの防滴ゴム７１〜７３は、それぞれ外側の部材の内周面に貼着され、弾性力により内側の部材に密着することで各隙間からの水、塵埃の侵入を阻止するとともに、遮光的な役割をも果たす。１群保持枠２４と１群筒２５との隙間はシリコンによりシールされている。
【００２１】
以上のように構成されたカメラにおいて、図３，図４，図１１はレンズ鏡筒ＬＢが沈胴位置にある状態を示し、バリア４０の各羽根は閉じている。このとき、バリア駆動筒５６のカムフォロア５６ｃは、直進キー２３のバリア駆動カム２３ｄに対して図６にＰｒで示す位置にある。カメラに電源が投入されると、ズームモータ１１が回転し、上述した作用によってカム筒２１が回転しつつ繰り出されるとともに、１群筒２５および２群保持枠２６がカム筒２１に対して進退する。
【００２２】
このとき、カム筒２１と一体に進退する直進キー２３は、１群筒２５と一体に繰り出されるバリア駆動筒５６に対して図６の矢印方向に移動する。したがって、カムフォロア５６ｃはＰｍ位置に達するまではカム２３ｄから回転力を受け、バリア駆動筒５６が回転する。これにより、バリア駆動筒５６の爪５６Ａが図１１の反時計回りに移動するので、バリア駆動リング５３が付勢ばね５５の付勢力によって同方向に回転する。バリア駆動リング５３がある程度回転すると、一対の当接部５３ｂが羽根駆動軸４１Ａｂ，４１Ｂｂに当接してこれらを駆動し、上述の作用によって４枚のバリア羽根４１Ａ，４１Ｂ，４２Ａ，４２Ｂが開放される。開放された羽根は、開放側の制限に当接することで停止し、バリア駆動リング５３も停止する。バリア駆動筒５６は、駆動リング停止後もある程度回転し、カムフォロア５６ｃがＰｍ位置に達した時点で停止する。
【００２３】
ここで、バリア羽根は羽根駆動ばね４５Ａ，４５Ｂによって常に閉方向に付勢されているが、付勢ばね５５の付勢力は羽根駆動ばね４５Ａ，４５Ｂの付勢力よりも大きいので、羽根４１Ａ，４１Ｂ，４２Ａ，４２Ｂは開状態に保持される。
【００２４】
その後もカム筒２１および直進キー２３は進出を続け、レンズＬ１，Ｌ２がワイド端位置に達した時点で停止し、撮影が許容される。このとき、カムフォロア５６ｃはＰｗ位置に位置する。カムフォロア５６ｃは、Ｐｍ位置からＰｗ位置に達するまでの間は、バリア駆動カム２３ｄの光軸と平行の部分を進むので、回転力を受けず、バリア駆動筒５６は回転しない。また、その後にズームボタン３，４の操作に応じてズーミングが行われると、１群筒２５および２群保持枠２６が光軸方向に進退するが、１群筒２５は、テレ方向のズーミングに従っていったんＣＣＤ側に退避し、途中から再度進出する動きをし、１群筒２５と一体に進退するバリア駆動筒５６も同様の動きをする。これに従い、カムフォロア５６ｃは、Ｐｗ→Ｐｍ→Ｐｗ→Ｐｔ（Ｐｔはテレ端）のように動き、ワイド方向のズーミングはその逆の動きをする。したがって、ズーミングの際もカムフォロア５６ｃは駆動力を受けず、バリア駆動筒５６は回転しない。
【００２５】
因みに、図７はズーミングにおいてカムフォロア５６ｃがＰｍ位置にあるときの状態を示している（テレ端とワイド端の中間位置）。このとき、１群筒２５やバリア駆動筒５６のカム筒２１からの突出量はズーミング中で最も短い。なお、ワイド端に達したときにこの状態となるレンズ鏡筒もある。
【００２６】
カメラの電源がオフされると、レンズ鏡筒ＬＢは沈胴位置に向けて駆動される。沈胴位置に近づくと、カムフォロア５６ｃはＰｍ位置からＰｒ位置にかけて移動するためカム２３ｄから回転力を受け、バリア駆動筒５６は上述と逆方向（図１２の時計回り）に回転する。これにより、バリア駆動筒５６の爪５６Ａがバリア駆動リング５３を付勢ばね５５に抗して時計回りに回転させるので、羽根駆動軸４１Ａｂ，４１Ｂｂへの開方向の力が解除され、各バリア羽根は羽根駆動ばね４５Ａ，４５Ｂの付勢力によって閉じる。
【００２７】
ここで、バリア駆動筒５６と１群筒２５との間に設けた防滴ゴム７３は、バリア駆動筒５６の回転時に１群筒２５の外周面を摺動するため、摺動摩擦力を発生し、この摩擦力はバリア駆動筒５６の回転負荷となる。しかし、本実施形態では、バリア駆動筒５６で直接バリア４０を駆動するのではなく、バリア駆動筒５６の回転に連動して付勢ばね５５の付勢力（バリア駆動力）をレンズバリア４０に伝達してこれを開放する構成であるため、上記摩擦力は付勢ばね５５の抵抗とならず、バリア開放に何ら影響を及ぼさない。したがって、摩擦力に抵抗すべく力量の大きな大型の付勢ばねを用いるといった配慮は不要であり、コスト的、スペース的に有利である。
【００２８】
また、バリア駆動筒５６はレンズ駆動に連動して回転されるが、バリア駆動カム２３ｄがもたらす作用によってバリア開閉時以外は回転せず、特にズーミング時には一切回転しない。したがって、上記防滴ゴム７３の摺動を最小限に留めることができ、防塵・防滴性能の向上が図れるとともに、防滴ゴム７３がもたらす摺動摩擦力はズーミング時には発生せず、モータ負荷とならない。さらにバリア駆動筒５６の回転角度は、図１１，図１２から分かるようにごく僅かであるから、周囲に配置される部材との干渉を避けるための配慮も最小限で済み、スペース的に有利である。因みにレンズ駆動時は常に（ズーミング時も）バリア駆動筒が回転する構成（例えば、特開２００１−２１５５５９号公報）では、防滴ゴムの摩擦力がズーミング全般においてモータ負荷となり、また爪の回転量が増えるため周囲の部材と干渉を避けるための配慮が必要となる。
【００２９】
さらにバリア駆動筒５６は、直進キー２３に形成されたバリア駆動カム２３ｄから回転力を受けて回転する。直進キー２３ではなくカム筒２１に形成したカムから力を受けるようにしてもよいが、カム筒２は２つのレンズ群Ｌ１，Ｌ２を駆動するためのカムが既に設けられているから、これに更にバリア駆動用のカムを追加するとなると、場合によってはカム筒２１の長さや厚さを大きくしなければならない。一方、直進キー２３にも２種の直進溝２３ｂ，２３ｃが既に設けられているが、上述したようにバリア駆動筒５６の回転角度はごく小さいため、これを駆動するためのカム２３ｄは直線部分が多く（図５，図６参照）、カム２３ｄを直進キー２３に追加するにあたって直進キー２３の厚さや長さを大きくする必要はない。
【００３０】
なお以上では、バリア駆動筒５６の直ぐ内側に１群筒２５が配置されるため、必然的にバリア駆動筒５６と１群筒２５との間に防滴ゴム７３が設けられているが、バリア駆動筒５６のと１群筒２５との間に別の部材（バリア駆動筒５６と相対回転可能な部材）が介在する構成では、バリア駆動筒５６とその部材との間に防滴ゴム７３が設けられることになる。またデジタルカメラにて説明したが、銀塩カメラにも本発明を適用できる。
【００３１】
さらに、レンズが沈胴しないカメラ、つまり常に撮影位置を維持するカメラにも本発明を適用できる。この場合には、カメラへの電源投入に伴ってレンズを駆動することなくバリア駆動筒を回転させ、バリアを開放すればよい。これは上述したバリア駆動カムを例えばカム筒に設けることで容易に実現可能である。勿論、ズームレンズ鏡筒であればズームモータをバリア開閉の駆動源として用いることができる。
【図面の簡単な説明】
【００３２】
【図１】一実施形態におけるカメラの上面図。
【図２】上記カメラの正面図。
【図３】図２のIII−IIIから見たレンズ鏡筒の断面図で、バリア閉時の状態を示す。
【図４】図２のIV−IV線から見たレンズ鏡筒の断面図で、バリア閉時の状態を示す。
【図５】直進キーの展開図。
【図６】図５のVI部分の拡大図で、直進キーに設けられたバリア駆動カムを示す図。
【図７】図３と同様の図で、バリア開時の状態を示す。
【図８】レンズバリアをカメラ背面側から見た図。
【図９】レンズバリアをカメラ前面側から見た図で、バリア閉時の状態を示す。
【図１０】図９と同様の図で、バリア開時の状態を示す。
【図１１】バリア駆動機構をカメラ背面側から見た図で、バリア閉時の状態を示す。
【図１２】図１１と同様の図で、バリア開時の状態を示す。
【符号の説明】
【００３３】
１１  ズームモータ
２１  カム筒
２２  固定筒
２３  直進キー
２３ｄ  バリア駆動カム
２５  １群筒
４０  レンズバリア
４１Ａ，４１Ｂ，４２Ａ，４２Ｂ  バリア羽根
４１Ａｂ，４１Ｂｂ  羽根駆動軸
４１Ａｃ，４１Ｂｃ  羽根連動軸
４５Ａ，４５Ｂ  羽根駆動ばね
５１ａ，５１ｂ  バリア羽根の回動軸
５３  バリア駆動リング
５５  付勢ばね
５６  バリア駆動筒
５６Ａ  爪
５６ｃ  カムフォロア
７１〜７３  防滴ゴム（シール部材）
Ｌ１〜Ｌ３  レンズ
ＬＢ  レンズ鏡筒
【図１】
2005189278.tif 000003
【図２】
2005189278.tif 000004
【図３】
2005189278.tif 000005
【図４】
2005189278.tif 000006
【図５】
2005189278.tif 000007
【図６】
2005189278.tif 000008
【図７】
2005189278.tif 000009
【図８】
2005189278.tif 000010
【図９】
2005189278.tif 000011
【図１０】
2005189278.tif 000012
【図１１】
2005189278.tif 000013
【図１２】
2005189278.tif 000014